(57)【要約】【課題】同じ伝送方式にて伝送される複数種類の高周波を受信する無線通信端末において、各高周波が競合しない場合に、所望の高周波の伝送速度を向上させること。【解決手段】所定の伝送方式にて伝送される高周波を、第１のベースバンド信号に変換する第１の高周波変換部１４０と、高周波と同じ伝送方式にて伝送される高周波を、第２のベースバンド信号に変換する第２の高周波変換部１２０、１３０と、第１のベースバンド信号と第２のベースバンド信号とが競合する場合、第１のベースバンド信号を処理して第１のデータを取得すると共に、第２のベースバンド信号を処理して第２のデータを取得し、第１のベースバンド信号と第２のベースバンド信号とが競合しない場合、第１のベースバンド信号と第２のベースバンド信号とを併せて処理して第１のデータを取得するベースバンド信号処理部１６０とを備える。【選択図】  図１
2015050635.tif 000002
【特許請求の範囲】
【請求項１】
所定の伝送方式にて伝送される高周波を、第１のベースバンド信号に変換する第１の高周波変換部と、
前記高周波と同じ伝送方式にて伝送される高周波を、第２のベースバンド信号に変換する第２の高周波変換部と、
前記第１のベースバンド信号と前記第２のベースバンド信号とが競合する場合、前記第１のベースバンド信号を処理して第１のデータを取得すると共に、前記第２のベースバンド信号を処理して第２のデータを取得し、前記第１のベースバンド信号と前記第２のベースバンド信号とが競合しない場合、前記第１のベースバンド信号と前記第２のベースバンド信号とを併せて処理して前記第１のデータを取得するベースバンド信号処理部と
を備える無線通信端末。
【請求項２】
前記ベースバンド信号処理部は、キャリア数及び信号数に基づいて前記競合の有無を判別する
請求項１に記載の無線通信端末。
【請求項３】
所定の伝送方式にて伝送される高周波を、第１のベースバンド信号に変換する第１の高周波変換段階と、
前記高周波と同じ伝送方式にて伝送される高周波を、第２のベースバンド信号に変換する第２の高周波変換段階と、
前記第１のベースバンド信号と前記第２のベースバンド信号とが競合する場合、前記第１のベースバンド信号を処理して第１のデータを取得すると共に、前記第２のベースバンド信号を処理して第２のデータを取得し、前記第１のベースバンド信号と前記第２のベースバンド信号とが競合しない場合、前記第１のベースバンド信号と前記第２のベースバンド信号とを併せて処理して前記第１のデータを取得するベースバンド信号処理段階と
を備える通信制御方法。
【発明の詳細な説明】
【技術分野】
【０００１】
本発明は、無線通信端末及び通信制御方法に関する。
【背景技術】
【０００２】
近年は、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、無線ＬＡＮ（Ｌｏｃａｌ  Ａｒｅａ  Ｎｅｔｗｏｒｋ）等の互いに独立した無線通信システム、即ち、複数の通信方式に対応可能なマルチモード端末が開発されている。このような端末においては、通信方式が異なるため、各システムに対応したハードウェアを持つ必要がある。
【０００３】
また、関連する技術としては、異なる周波数帯及び共通の変調方式による通信を想定し、サブキャリア数、マスタクロックの共通化等によるハードウェアのサイズ削減について知られている。
【０００４】
しかしながら、上記の関連する技術においては、一部のハードウェアの共通化は図れるが、それぞれの通信方式に個別に対応した共通化できない部分が多く必要であり、制御も通信方式単位である、という問題がある。
【０００５】
また、上記の関連する技術においては、複数の通信方式に対応するマルチモード端末についても、独立に規格が定められた複数のシステムに対応するため、一部のハードウェアが共通化できたとしても部品点数が多くなり、制御が複雑である、という問題がある。また、上記の関連する技術においては、端末の小型化が難しく、制御が通信方式単位である、という問題もある。
【０００６】
このような背景に関連する技術としては、様々なものが知られている（例えば、特許文献１参照。）。
【０００７】
例えば、特許文献１には、２つ以上の不連続な周波数帯域を使用する通信装置が記載されている。より具体的に説明すると、この通信装置は、各周波数帯の信号にそれぞれ対応する複数のＢＰＦ（Ｂａｎｄ  Ｐａｓｓ  Ｆｉｌｔｅｒ）を含むフィルタ手段を備える。また、この通信装置は、各周波数帯の信号を送受信するための各手段を制御する制御手段を備える。また、この通信装置は、制御手段の制御によって周波数を切り替えながら、フィルタリング処理後の信号をベースバンド信号にダウンコンバートするダウンコンバート手段を備える。また、この通信装置は、制御手段の制御によって所定の受信処理を行う復調手段を備える。また、この通信装置は、制御手段の制御によって所定の送信処理を行う変調手段を備える。そして、ベースバンド信号の処理については、複数の周波数帯の通信においてハードウェアの一部を共通に用いる。このようにして、この通信装置によっては、簡単な構成及び制御で、異なる周波数と帯域を有する信号を受信することができる。
【０００８】
また、移動体受信においては、反射や回折によって発生する干渉波の抑制が必須となっている。その干渉波抑制技術の一つとしては、ダイバーシティ受信が知られている。
【０００９】
また、無線ＬＡＮのようなデジタル伝送においては、予め定められた一定期間内において、信号レベルの高いアンテナを探索して送受信を行い、更にデータが欠落した場合は、データの再送も可能である。
【００１０】
ダイバーシティ受信においては、複数のアンテナを配置して、アンテナスイッチを使用し受信信号を高速に切り換えて、電界レベルの高い方を選択するという受信方式が一般的であり、アンテナスイッチにより選択されたアンテナを介して受信される受信信号が周波数変換器より周波数変換されて復調器によって復調される。
【００１１】
しかしながら、この受信方式は、アナログ信号のような不連続性な信号でも通信可能な場合においてのみ有効であり、アナログ伝送のように不連続性の信号でも通信可能な場合、又は無線ＬＡＮのようにデータの再送が可能な伝送においてのみ有効な手段であり、等価器等を用いたリアルタイム伝送においては、高速なアンテナ切り換えによって、データが不連続になり、正常に信号が受信されたに拘わらず、却って伝送エラーが増加してしまう場合がある。
【００１２】
それらを低減するためには、複数のアンテナにより受信される各受信信号をそれぞれ周波数変換器によって周波数変換してアナログデジタル変換器によってデジタル信号に変換し、ウエイト計算処理部にてデジタル信号に変換した各受信信号のレベル差の重み付けを行い、復調器に渡すという方式があり、また、更に、アンテナ、周波数変換器、アナログデジタル変換器及び復調器、即ち、アンテナから復調器まで２系を持ち、復調後ウエイト計算処理部にて合成するという方式も提案されている。
【００１３】
しかしながら、これらの方式においては、周波数変換器や復調器が２系統以上必要であり、小型の端末においては、小型化や消費電力の面において問題がある。
【００１４】
また、他の受信方式としては、信号の検波電圧に一定のしきい値を設定して、アンテナを切り換える受信方式も考えられる。このような受信方式は、信号レベルが高い方がエラーになる確率が低いため、受信率を向上することができる。しかしながら、検波電圧の情報のみを用いた場合、信号レベルが高くとも、その信号がノイズなのか、又は歪んだ信号なのか等を検出することは、困難である。したがって、このような受信方式によっては、しきい値を超える検波電圧が得られていても、伝送エラーとなる可能性がある。更に、検波電圧の値は、用いる検波器によって個体差があり一意に定めることができないという問題点もある。
【００１５】
また、信号レベルは、使用状況や周波数によっても様々で、全ての環境下に適応させるのは難しい。
【００１６】
また、近年、デジタル信号を伝送する方式としては、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）と呼ばれる変調方式が提案されている。このＯＦＤＭ方式は、伝送帯域内に多数の直交するサブキャリアを設け、それぞれのサブキャリアの振幅及び位相にデータを割り当て、ＰＳＫ（Ｐｈａｓｅ  Ｓｈｉｆｔ  Ｋｅｙｉｎｇ）やＱＡＭ（Ｑｕａｄｒａｔｕｒｅ  Ａｍｐｌｉｔｕｄｅ  Ｍｏｄｕｌａｔｉｏｎ）によりデジタル変調する方式である。
【００１７】
このようなＯＦＤＭ伝送方式を採用した地上波デジタル放送としては、例えば、ＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ）やＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）といった規格が提案されている。
【００１８】
また、各サブキャリアに対する変調方式としてＱＡＭ等の変調を用いるＯＦＤＭ方式においては、伝送時にマルチパス等の影響により各サブキャリアに異なるひずみが生じると、各サブキャリアの振幅及び位相の特性が異なるものとなってしまう。そのため、受信側においては、各サブキャリアの振幅及び位相が等しくなるように、受信信号を波形等化する必要がある。ＯＦＤＭ方式においては、送信側において伝送信号中に所定の振幅、及び所定の位相のパイロット信号を伝送シンボル内に散在させておき、受信側においてこのパイロット信号の振幅及び位相を監視することによって、伝送路の特性を推定し、この推定した伝送路の特性により受信信号を等化するようにしている。この伝送路の特性を推知するために用いられるパイロット信号は、スキャッタードパイロット信号と呼ばれている。
【００１９】
このような背景に関連する技術としては、様々なものが知られている（例えば、特許文献２参照。）。
【００２０】
例えば、特許文献２には、移動体受信に最適な受信端末装置が記載されている。より具体的に説明すると、この受信端末装置は、受信状態の異なる複数種類の、パイロット信号を含むデジタル放送信号を選択的に入力する入力手段を備える。また、この受信端末装置は、入力手段により入力された受信信号に復調処理を施す復調手段を備える。また、この受信端末装置は、復調手段により受信信号から復調された誤り訂正符号を有するストリームデータのパケットエラーを検出するエラー検出手段を備える。また、この受信端末装置は、エラー検出手段により検出される一定区間のパケットエラー率を計測し、その値がしきい値を超えたか否かを判定し、その判定結果に応じて入力手段を制御する制御手段を備える。そして、入力手段は、少なくとも所定の周波数帯域の受信信号の振幅特性を変える回路素子と、回路素子を介して得られる受信信号に周波数変換処理を施す周波数変換手段と、周波数変換手段により周波数変換された受信信号に復調処理を施す復調手段とから成る。そして、制御手段は、受信開始又はチャンネル選局時に、パイロット信号の搬送波に基づいて切り換え制御前後の変調誤差比を比較して、受信状態のよい振幅特性の受信信号を選択する切り換え制御を行ってデータ受信を開始し、その後、パケットエラー率がしきい値を超えた場合に、入力手段の回路素子により、復調手段によって復調処理を施す受信信号の振幅特性を変更する切り換え制御を行う。このようにして、この受信端末装置によっては、復調手段に入力する受信信号の振幅特性の切り換え回数を削減することができ、デジタル放送においては問題となる不連続要因を低減することができる。
【００２１】
また、３ＧＰＰシステムアーキテクチャ・エボリューションタイプ等の無線電気通信のためのネットワークが知られており、それらのネットワークは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）（登録商標）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、無線ＬＡＮ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）及びＬＴＥ（Ｌｏｎｇ  Ｔｅｒｍ  Ｅｖｏｌｕｔｉｏｎ）タイプ等の中から、様々なタイプの無線アクセス技術、即ちＲＡＴを含むという点において異種ネットワークである。こうした異種ネットワークは、ネットワークユーザ及びネットワークオペレータの両方にとっての利点を有する。ユーザ端末は、適切な時間に最も都合のよいＲＡＴに切り換えることができる。オペレータは、ネットワークの使用及びパフォーマンスを向上させるためにＲＡＴ間においての負荷共有を行うことができる。
【００２２】
こうした知られている異種ネットワークに伴う問題には、使用中、ユーザ端末を２つ以上のタイプのＲＡＴに接続可能にするために、ユーザ端末が追加のハードウェアコンポーネントを要求するということがある。これは、ユーザ端末の厳しい内部空間要求に対処するという問題につながり得る。例えば、３ＧＰＰ（３ｒｄ  Ｇｅｎｅｒａｔｉｏｎ  Ｐａｒｔｎｅｒｓｈｉｐ  Ｐｒｏｊｅｃｔ）の、ＳＡＥ（Ｓｙｓｔｅｍ  Ａｒｃｈｉｔｅｃｔｕｒｅ  Ｅｖｏｌｕｔｉｏｎ）に準拠しているネットワークのうち、２つの異なるタイプに選択的に接続できる所謂デュアルモードのユーザ端末は、２つの別個の無線機を有し、それらの無線機は、例えば、１つがＧＳＭ（登録商標）用及び１つがＵＭＴＳ用、１つがＵＭＴＳ用及び１つがＬＴＥ用、又は１つが本来の３ＧＰＰ無線用及び１つが非３ＧＰＰ無線用である。両方の無線機は、例えば、ＲＡＴ間においてユーザ端末との呼接続をハンドオーバする手続きの一部として、複数のＲＡＴに対する信号品質測定の間、並行して動作しなければならない。したがって、無線機は、別個のアンテナを有する。
【００２３】
ソフトウエアによって定義された無線機のいくつかは、２つ以上のタイプのＲＡＴに接続することが可能であり、例えば、こうしたインターフェースは、ＧＳＭ（登録商標）のＲＡＴ及びＵＭＴＳのＲＡＴの両方に選択的に接続するのに十分なスペクトル領域を有することができる。しかしながら、全ての適切な周波数範囲が単一のインターフェースによって扱われるわけではないので、実際問題として、複数のＲＡＴに接続可能なユーザ端末は、ほとんど常に複数の無線機を含むことになる。
【００２４】
更なる背景技術としては、ＭＩＭＯ（Ｍｕｌｔｉｐｌｅ  Ｉｎｐｕｔ  Ｍｕｌｔｉｐｌｅ  Ｏｕｔｐｕｔ）システムが知られている。ＭＩＭＯとは、基本的に、無線通信システムのパフォーマンス向上を目的とした、送信機、及び対応する受信機の両方にある複数のアンテナの使用である。ＭＩＭＯは、予符号化、空間多重化及びダイバーシティ符号化のうちの１つ又は複数を含むことができる。
【００２５】
一方で、単入力単出力機能は、送信機も受信機も複数のアンテナによって動作しないところにあり、むしろそれぞれの端部に単一のアンテナがある。
【００２６】
別のタイプのシステムには、多入力単出力システムがある。これは、単一の受信アンテナを有する受信機が、複数のアンテナを有する送信機から送信される信号を受信するところにある。一例としては、単一のアンテナを有するユーザ端末にダウンリンク送信する複数のアンテナを備えた基地局がある。
【００２７】
このような背景に関連する技術としては、様々なものが知られている（例えば、特許文献３参照。）。
【００２８】
例えば、特許文献３には、第１の無線アクセスネットワーク及び第２の無線アクセスネットワークを備える無線通信のためのネットワークにおけるユーザ端末の動作方法が記載されている。より具体的に説明すると、ユーザ端末は、第１の無線機、第２の無線機、第１のアンテナ及び第２のアンテナを備える。そして、第１の無線機は、アンテナへの接続のための２つのポートを備える。そして、２つのアンテナのうちの少なくとも１つは、無線機のそれぞれに切り換え可能に接続することができる。そして、この動作方法は、各ポートがそれぞれのアンテナに接続されるように２つのアンテナを第１の無線機に接続し、第１の無線アクセスネットワークから２つのアンテナへの無線通信接続を介して渡されるデータを第１の無線機において受信する。そして、この動作方法は、第２のアンテナを第１の無線機への接続から第２の無線機への接続に切り換える。そして、この動作方法は、第１の無線アクセスネットワークから第１のアンテナへの無線通信接続を介して渡されるデータを第１の無線機において受信する。そして、この動作方法は、第２の無線アクセスネットワークから第２のアンテナへの無線通信接続を介して渡されるデータを第２の無線機において受信する。
【００２９】
また、無線通信ネットワークは、音声、ビデオ、パケットデータ、メッセージング、放送等のような様々な通信コンテンツを供給するために広く展開されている。これらの無線ネットワークは、利用可能なネットワーク資源を共有することによって多数の利用者をサポートする能力のあるマルチアクセスネットワークであり得る。そのようなマルチアクセスネットワークの例は、ＣＤＭＡ（Ｃｏｄｅ  Ｄｉｖｉｓｉｏｎ  Ｍｕｌｔｉｐｌｅ  Ａｃｃｅｓｓ）ネットワーク、ＴＤＭＡ（Ｔｉｍｅ  Ｄｉｖｉｓｉｏｎ  Ｍｕｌｔｉｐｌｅ  Ａｃｃｅｓｓ）ネットワーク、ＦＤＭＡ（Ｆｒｅｑｕｅｎｃｙ  Ｄｉｖｉｓｉｏｎ  Ｍｕｌｔｉｐｌｅ  Ａｃｃｅｓｓ）ネットワーク及びシングルキャリアＦＤＭＡネットワークを含む。
【００３０】
無線通信機器は、異なる無線ネットワークによる通信をサポートするためいくつかの無線機を含み得る。各無線機は、１つ又はそれ以上のアンテナを通じて信号を送信又は受信し得る。無線機器上のアンテナの数は、スペース制約及び接続問題によって制限され得る。
【００３１】
このような背景に関連する技術としては、様々なものが知られている（例えば、特許文献４参照。）。
【００３２】
例えば、特許文献４には、無線通信のための方法が記載されている。より具体的に説明すると、この方法は、無線機器上の複数の無線機の中から少なくとも１つの無線機を選択する。そして、この方法は、複数のアンテナの中から少なくとも１つの無線機のために少なくとも１つのアンテナを選択する。ここで、少なくとも１つのアンテナの１つ又はそれ以上は、複数の無線機の中の１つ又はそれ以上の他の無線機のための使用のために共有され利用可能である。そして、この方法は、少なくとも１つのアンテナに少なくとも１つの無線機を接続する。
【００３３】
また、携帯端末装置は、一般に、複数のアンテナを備える。各々の通信機能に対するアンテナは、最良の状態に設計されている筈である。しかしながら、使用者の装置の握り方や、その位置等の状況によっては、専用のアンテナが上手く機能しない場合が考えられる。アンテナが独立機能として使用されている場合には、電波状況を改善する手法が他にはない。
【００３４】
関連する技術としては、異なる指向性を有する複数のアンテナを備える携帯端末装置において、受信電力の低下や、受信誤り率の悪化を防ぐために、複数のアンテナのうち、選択しているいずれか１つのアンテナの受信電力が所定値以下になると、複数のアンテナを同時に選択するという技術が提案されている。
【００３５】
また、他の関連する技術としては、複数のアンテナを備える携帯端末装置において、伝送品質を損なうことなく、送信時の良好な歪み特性を得ると共に、非送信時の消費電力を低減することを実現するために、送受信部の状態を監視し、送受信部が送信中でない場合には、電源電圧を昇圧せずに、消費電力を低く抑える第１のモードと、送受信部が送信中である場合には、電源電圧を昇圧して歪み特性を良好にする第２の動作モードとを有し、それぞれの動作モードに応じて、選択するアンテナを切り替えるという技術が提案されている。
【００３６】
しかしながら、上述した関連する技術には、通信中にアンテナを切り替えることは、１つ目のアンテナから変更するアンテナに移行させるため、無線受信回路の入力部に過電力が加わったり、入力部のインピーダンス不整合により誤動作等を引き起こしたりする可能性が高いという問題がある。
【００３７】
また、通信状態確率前に最適なアンテナ感度によるアンテナをサーチ、決定することが考えられるが、この場合、通信中の周辺環境によりアンテナ感度が劣化した場合には、対応できないという問題がある。
【００３８】
このような背景に関連する技術としては、様々なものが知られている（例えば、特許文献５参照。）。
【００３９】
例えば、特許文献５には、複数のアンテナと、複数のアンテナのうち、少なくとも１つのアンテナを用いてそれぞれ異なる通信方式によって通信を行う複数の無線手段を備える携帯端末装置でのアンテナ切り替え方法が記載されている。より具体的に説明すると、このアンテナ切り替え方法は、通信中に、複数のアンテナの電界強度を検出する。そして、このアンテナ切り替え方法は、通信中に検出された電界強度に基づいて、複数のアンテナのうち、少なくとも１つ又は複数のアンテナを、複数の無線手段のうち、通信中の無線手段において用いるアンテナとして決定する。そして、このアンテナ切り替え方法は、通信中の無線手段が用いているアンテナを、決定された、少なくとも１つ又は複数のアンテナに選択的に切り替える。このようにして、このアンテナ切り替え方法によっては、誤動作等を引き起こすことなく、通話、通信中の品質劣化を極力低減することができる。
【先行技術文献】
【特許文献】
【００４０】
【特許文献１】ＷＯ２００６／０８８０８１号公報
【特許文献２】特許第４６６１４１１号公報
【特許文献３】特許第４９７０５９８号公報
【特許文献４】特表２０１３−５１６１１０号公報
【特許文献５】特開２０１２−１０５１２４号公報
【発明の概要】
【発明が解決しようとする課題】
【００４１】
ところで、近年のデジタルホームの用途などでは、有線系ブロードバンドと遜色ない無線ＬＡＮの伝送速度の実現が急務となっている。そこで、無線通信端末において、無線ＬＡＮの伝送速度を向上する技術の１つとして、ＭＩＭＯによる空間多重伝送の拡張がある。しかしながら、無線通信端末は、この技術を実現するために、アンテナ数を増やす必要があり、それに伴う実装面積の拡大により大型化するおそれがあり、小型化することが難しい。
【００４２】
一方、特許文献１に記載の技術によっては、各周波数帯の信号を受信した際に、各信号が競合しているか否かを判別するものではないため、例えば、同じ伝送方式にて伝送される複数種類の高周波を受信するときに、各高周波が競合しない場合、所望の高周波の伝送速度を向上させることができないという問題がある。
【００４３】
また、特許文献２に記載の技術によっては、同じ伝送方式にて伝送される複数種類の高周波を受信するものではないため、例えば、同じ伝送方式にて伝送される複数種類の高周波を受信するときに、各高周波が競合しない場合、所望の高周波の伝送速度を向上させることができないという問題がある。
【００４４】
そして、特許文献３に記載の技術によっては、ＭＩＭＯ無線機は、多入力信号を、いくぶん重なり合う時間において、同時に受信するものの、同じ伝送方式にて伝送される複数種類の高周波を受信するものではないため、例えば、同じ伝送方式にて伝送される複数種類の高周波を受信するときに、各高周波が競合しない場合、所望の高周波の伝送速度を向上させることができないという問題がある。
【００４５】
本発明の目的は、上述した課題を解決する無線通信端末及び通信制御方法を提供することにある。
【課題を解決するための手段】
【００４６】
上記課題を解決するために、本発明の第１の形態によると、無線通信端末であって、所定の伝送方式にて伝送される高周波を、第１のベースバンド信号に変換する第１の高周波変換部と、高周波と同じ伝送方式にて伝送される高周波を、第２のベースバンド信号に変換する第２の高周波変換部と、第１のベースバンド信号と第２のベースバンド信号とが競合する場合、第１のベースバンド信号を処理して第１のデータを取得すると共に、第２のベースバンド信号を処理して第２のデータを取得し、第１のベースバンド信号と第２のベースバンド信号とが競合しない場合、第１のベースバンド信号と第２のベースバンド信号とを併せて処理して第１のデータを取得するベースバンド信号処理部とを備える。
【００４７】
本発明の第２の形態によると、通信制御方法であって、所定の伝送方式にて伝送される高周波を、第１のベースバンド信号に変換する第１の高周波変換段階と、高周波と同じ伝送方式にて伝送される高周波を、第２のベースバンド信号に変換する第２の高周波変換段階と、第１のベースバンド信号と第２のベースバンド信号とが競合する場合、第１のベースバンド信号を処理して第１のデータを取得すると共に、第２のベースバンド信号を処理して第２のデータを取得し、第１のベースバンド信号と第２のベースバンド信号とが競合しない場合、第１のベースバンド信号と第２のベースバンド信号とを併せて処理して第１のデータを取得するベースバンド信号処理段階とを備える。
【００４８】
なお、上記の発明の概要は、本発明の必要な特徴の全てを列挙したものではない。また、これらの特徴群のサブコンビネーションもまた、発明となり得る。
【発明の効果】
【００４９】
以上の説明から明らかなように、この発明によっては、例えば、同じ伝送方式にて伝送される複数種類の高周波を受信する無線通信端末において、各高周波が競合しない場合に、所望の高周波の伝送速度を向上させることができる。
【図面の簡単な説明】
【００５０】
【図１】一実施形態に係る無線通信端末１００のブロック構成の一例を示す図である。
【図２】ベースバンド信号処理部１６０の信号識別処理部１６１及びひずみ演算処理データ結合部１６２の制御動作を説明するフローチャートである。
【図３】ベースバンド信号処理部１６０の信号識別処理部１６１及びひずみ演算処理データ結合部１６２におけるサブキャリア数のカウントの説明図である。
【図４】ベースバンド信号処理部１６０の信号識別処理部１６１及びひずみ演算処理データ結合部１６２における判定動作の説明図である。
【発明を実施するための形態】
【００５１】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００５２】
図１は、一実施形態に係る無線通信端末１００のブロック構成の一例を示す。無線通信端末１００は、ＲＦ信号処理部（４Ｇ  ＲＦＩＣモジュール（Ｒａｄｉｏ  Ｆｒｅｑｕｅｎｃｙ  Ｉｎｔｅｇｒａｔｅｄ  Ｃｉｒｃｕｉｔ））１２０、チューナー１３０、無線ＬＡＮモジュール１４０及びベースバンド信号処理部１６０を備える。なお、ＲＦ信号処理部１２０、チューナー１３０は、本発明の「第２の高周波変換部」の一例であってもよい。また、無線ＬＡＮモジュール１４０は、本発明の「第１の高周波変換部」の一例であってもよい。また、ここでは、無線通信端末１００の受信部についてのみ説明し、送信部についての説明は省略する。
【００５３】
ＲＦ信号処理部１２０は、バッファ１２１、ミキサ（Ｌｏ）１２２、バンドパスフィルタ（ＢＰＦ）１２３、ＲＦＦＥフィルタ１２４、を備える。
【００５４】
チューナー１３０は、バッファ１３１、ミキサ（Ｌｏ）１３２、バンドパスフィルタ１３３、ＲＦＦＥフィルタ１３４、を備える。
【００５５】
無線ＬＡＮモジュール１４０は、可動接点１４２、常開接点１４３、常閉接点１４４を有するスイッチング部１４１、バッファ１４５、ミキサ（Ｌｏ）１４６、バンドパスフィルタ１４７、ＲＦＦＥフィルタ１４８、バッファ１４９、ミキサ（Ｌｏ）１５０、バンドパスフィルタ１５１、ＲＦＦＥフィルタ１５２、多重化回路１５３、を備える。
【００５６】
ベースバンド信号処理部１６０は、信号識別処理部１６１、ひずみ演算処理データ結合部１６２、ＲＦ信号規定部１６３、テレビ信号規定部１６４、無線ＬＡＮ規定部１６５、を備える。
【００５７】
信号識別処理部１６１は、スイッチング部１６６、１６７、１６８、１６９を有する。スイッチング部１６６は、ＲＦ信号処理部１２０のＲＦＦＥフィルタ１２４から与えられた一方の信号ＲＸ・ＩＱ１２７を、ＲＦ信号規定部１６３またはひずみ演算処理データ結合部１６２に切り替えて与える。スイッチング部１６７は、ＲＦ信号処理部１２０のＲＦＦＥフィルタ１２４から与えられた他方の信号ＲＸ・ＩＱ１２８を、ＲＦ信号規定部１６３またはひずみ演算処理データ結合部１６２に切り替えて与える。スイッチング部１６８は、チューナー１３０のＲＦＦＥフィルタ１３４から与えられた一方の信号ＲＸ・ＩＱ１３５を、テレビ信号規定部１６４またはひずみ演算処理データ結合部１６２に切り替えて与える。スイッチング部１６９は、チューナー１３０のＲＦＦＥフィルタ１３４から与えられた他方の信号ＲＸ・ＩＱ１３６を、テレビ信号規定部１６４またはひずみ演算処理データ結合部１６２に切り替えて与える。このように、信号識別処理部１６１は、無線ＬＡＮを除く独立した各ＲＦ機能のＲＦ信号経路間に配置され、各ＲＦ信号に定義されるサブキャリア数、つまり、ＩＱ信号数をひずみ演算処理データ結合部１６２に転送する。
【００５８】
ひずみ演算処理データ結合部１６２は、信号識別処理部１６１から与えられたＩＱ信号数をカウントして、ＲＦ機能が競合するか否かを判別し、ＲＦ機能が競合しないと判別された場合に、無線ＬＡＮを除くＲＦ信号経路を無線ＬＡＮに変更して無線ＬＡＮ規定部１６５に与える。なお、ベースバンド信号処理部１６０は、受信したＲＦ信号をＳＩＳＯかＭＩＭＯに特定する際に、信号（送信）ＴＸ・ＩＱ１７０、１７１を通じて無線機の競合動作状況を送信側に予め通知する。
【００５９】
アンテナＡＮＴ３から取り込まれる高周波と同じ伝送方式にて伝送される高周波であって、アンテナＡＮＴ１を通じて分波器１２５に取り込まれるＲＦ信号は、分波器１２５からアンプ１２６を通じてＲＦ信号処理部１２０に取り込まれる。また、ＲＦ信号は、アンテナＡＮＴ１を通じて分波器１２５に取り込まれ、分波器１２５からＲＦ信号処理部１２０のバッファ１２１に与えられる。
【００６０】
ＲＦ信号処理部１２０のＲＦＦＥフィルタ１２４から出力される各信号（受信）ＲＸ・ＩＱ１２７、１２８は、信号識別処理部１６１のスイッチング部１６６、１６７によりＲＦ信号規定部１６３またはひずみ演算処理データ結合部１６２に切り換えられる。各信号ＲＸ・ＩＱ１２７、１２８は、ベースバンド信号処理部１６０により処理される。そして、ベースバンド信号処理部１６０によって第２のデータとして取得される。なお、各信号ＲＸ・ＩＱ１２７、１２８は、本発明の「第２のベースバンド信号」の一例であってもよい。
【００６１】
アンテナＡＮＴ３から取り込まれる高周波と同じ伝送方式にて伝送される高周波であって、アンテナＡＮＴ２から取り込まれるテレビ信号は、チューナー１３０に与えられ、チューナー１３０のＲＦＦＥフィルタ１３４から出力される各信号（受信）ＲＸ・ＩＱ１３５、１３６は、信号識別処理部１６１のスイッチング部１６８、１６９によりテレビ信号規定部１６４またはひずみ演算処理データ結合部１６２に切り換えられる。各信号ＲＸ・ＩＱ１３５、１３６は、ベースバンド信号処理部１６０により処理される。そして、ベースバンド信号処理部１６０によって第２のデータとして取得される。なお、各信号ＲＸ・ＩＱ１３５、１３６は、本発明の「第２のベースバンド信号」の一例であってもよい。
【００６２】
所定の伝送方式にて伝送される高周波であってアンテナＡＮＴ３から取り込まれる無線ＬＡＮ信号は、無線ＬＡＮモジュール１４０に与えられ、無線ＬＡＮモジュール１４０の多重化回路１５３から出力される各信号ＴＲＸ・ＩＱ１５４、１５５は、ひずみ演算処理データ結合部１６２を経由して無線ＬＡＮ規定部１６５に与えられる。各信号ＴＲＸ・ＩＱ１５４、１５５は、ベースバンド信号処理部１６０により処理される。そして、ベースバンド信号処理部１６０によって第１のデータとして取得される。なお、各信号ＴＲＸ・ＩＱ１５４、１５５は、本発明の「第１のベースバンド信号」の一例であってもよい。
【００６３】
図２は、ベースバンド信号処理部１６０の信号識別処理部１６１及びひずみ演算処理データ結合部１６２の制御動作を説明するフローチャートである。図３は、ベースバンド信号処理部１６０の信号識別処理部１６１及びひずみ演算処理データ結合部１６２におけるサブキャリア数のカウントの説明図である。図４は、ベースバンド信号処理部１６０の信号識別処理部１６１及びひずみ演算処理データ結合部１６２における判定動作の説明図である。
【００６４】
図２に示すように、まず、信号識別処理部１６１は、サブキャリア（搬送波）のカウントを行う（ステップＳ１０１）。すなわち、図３に示すように、サブキャリア数は、縦軸に出力を、横軸に周波数を取った場合に、無線ＬＡＮモジュール１４０から出力された無線ＬＡＮ（ＷＬＡＮ）が１１ｇ／ａ：４８本であり、チューナー１３０からは４３２本である。そこで、信号識別処理部１６１は、サブキャリア１、サブキャリア２、・・・サブキャリア４３２をカウントする。そして、ひずみ演算処理データ結合部１６２は、カウントを結合する。このとき、チューナー１３０からの信号ＩＱは、あり、無線ＬＡＮモジュール１４０からの信号ＩＱは、ない。
【００６５】
図２に示すように、信号識別処理部１６１は、無線ＬＡＮの本数をカウントする（ステップＳ１０２）。このとき、無線ＬＡＮの本数がない場合、各ＲＦ経路の選択を行う（ステップＳ１０３）。これとは異なり、無線ＬＡＮの本数がある場合、無線ＬＡＮ経路の選択を行う（ステップＳ１０４）。
【００６６】
図４に示すように、全ＲＦ機能が競合するＷＬ４の状態では、ＲＦ信号処理部１２０、チューナー１３０の回路状態は、いずれも無線ＬＡＮのない状態であり、信号識別処理部１６１によって、ＲＦ信号規定部１６３、テレビ信号規定部１６４が選択される。そのため、ベースバンド信号処理部１６０は、各信号ＴＲＸ・ＩＱ１５４、１５５と、各信号ＲＸ・ＩＱ１２７、１２８及び各信号ＲＸ・ＩＱ１３５、１３６とが競合することにより、各信号ＴＲＸ・ＩＱ１５４、１５５を処理して第１のデータを取得すると共に、各信号ＲＸ・ＩＱ１２７、１２８及び各信号ＲＸ・ＩＱ１３５、１３６を処理して第２のデータを取得する。そして、ベースバンド信号処理部１６０は、アンテナ数の切り替えを行って１本のアンテナＡＮＴ１を選択する。この場合、無線ＬＡＮの伝送速度は、従来と同等である。
【００６７】
また、ＲＦ機能が競合するＷＬ３の状態では、ＲＦ信号処理部１２０は、無線ＬＡＮのある状態であり、チューナー１３０は、無線ＬＡＮのない状態であり、信号識別処理部１６１によって、テレビ信号規定部１６４のみが選択される。そのため、ベースバンド信号処理部１６０は、各信号ＴＲＸ・ＩＱ１５４、１５５と、各信号ＲＸ・ＩＱ１２７、１２８及び各信号ＲＸ・ＩＱ１３５、１３６とが競合することにより、各信号ＴＲＸ・ＩＱ１５４、１５５を処理して第１のデータを取得すると共に、各信号ＲＸ・ＩＱ１２７、１２８及び各信号ＲＸ・ＩＱ１３５、１３６を処理して第２のデータを取得する。そして、ベースバンド信号処理部１６０は、アンテナ数の切り替えを行って２本のアンテナＡＮＴ１、２を選択する。
【００６８】
そして、ＲＦ機能が競合するＷＬ２の状態では、ＲＦ信号処理部１２０は、無線ＬＡＮのない状態であり、チューナー１３０は、無線ＬＡＮのある状態であり、信号識別処理部１６１によって、ＲＦ信号規定部１６３のみが選択される。そのため、ベースバンド信号処理部１６０は、各信号ＴＲＸ・ＩＱ１５４、１５５と、各信号ＲＸ・ＩＱ１２７、１２８及び各信号ＲＸ・ＩＱ１３５、１３６とが競合することにより、各信号ＴＲＸ・ＩＱ１５４、１５５を処理して第１のデータを取得すると共に、各信号ＲＸ・ＩＱ１２７、１２８及び各信号ＲＸ・ＩＱ１３５、１３６を処理して第２のデータを取得する。そして、ベースバンド信号処理部１６０は、アンテナ数の切り替えを行って２本のアンテナＡＮＴ１、２を選択する。この場合、無線ＬＡＮの伝送速度は、従来と同等である。
【００６９】
これらに対し、無線ＬＡＮと、無線ＬＡＮを除くＲＦ機能と、が競合動作しないＷＬ１の状態では、ＲＦ信号処理部１２０は、無線ＬＡＮのある状態であり、チューナー１３０は、無線ＬＡＮのある状態であり、信号識別処理部１６１によって、ＲＦ信号規定部１６３及びテレビ信号規定部１６４が選択される。つまり、ベースバンド信号処理部１６０は、各信号ＴＲＸ・ＩＱ１５４、１５５と、各信号ＲＸ・ＩＱ１２７、１２８及び各信号ＲＸ・ＩＱ１３５、１３６と、が競合しないことにより、各信号ＴＲＸ・ＩＱ１５４、１５５と、各信号ＲＸ・ＩＱ１２７、１２８及び各信号ＲＸ・ＩＱ１３５、１３６と、を併せて処理して第１のデータを取得する。そして、ベースバンド信号処理部１６０は、アンテナ数の切り替えを行って３本のアンテナＡＮＴ１、２、３を選択する。
【００７０】
以上説明したように、無線通信端末１００によれば、無線ＬＡＮモジュール１４０は、所定の伝送方式にて伝送される高周波を各信号ＴＲＸ・ＩＱ１５４、１５５に変換し、ＲＦ信号処理部１２０、チューナー１３０は、高周波と同じ伝送方式にて伝送される高周波を各信号ＲＸ・ＩＱ１２７、１２８及び各信号ＲＸ・ＩＱ１３５、１３６に変換し、ベースバンド信号処理部１６０は、各信号ＴＲＸ・ＩＱ１５４、１５５と、各信号ＲＸ・ＩＱ１２７、１２８及び各信号ＲＸ・ＩＱ１３５、１３６と、が競合する場合、各信号ＴＲＸ・ＩＱ１５４、１５５を処理して第１のデータを取得すると共に、各信号ＲＸ・ＩＱ１２７、１２８及び各信号ＲＸ・ＩＱ１３５、１３６を処理して第２のデータを取得し、各信号ＴＲＸ・ＩＱ１５４、１５５と、各信号ＲＸ・ＩＱ１２７、１２８及び各信号ＲＸ・ＩＱ１３５、１３６と、が競合しない場合、各信号ＴＲＸ・ＩＱ１５４、１５５と、各信号ＲＸ・ＩＱ１２７、１２８及び各信号ＲＸ・ＩＱ１３５、１３６と、を併せて処理して第１のデータを取得する。従って、ベースバンド信号処理部１６０は、同じ伝送方式にて伝送される複数種類の高周波を受信する無線通信端末において、各高周波が競合しない場合に、所望の高周波の伝送速度を向上させることができる。
【００７１】
また、無線通信端末１００によれば、ベースバンド信号処理部１６０は、キャリア数及び信号数に基づいて競合の有無を判別するために、ＯＦＤＭ伝送方式を活用して無線ＬＡＮの伝送速度を向上させることができる。
【００７２】
また、無線通信端末１００によれば、ベースバンド信号処理部１６０は、無線ＬＡＮモジュール１４０を除く、ＲＦ信号処理部１２０及びチューナー１３０からの各信号ＲＸ・ＩＱ１２７、１２８及び各信号ＲＸ・ＩＱ１３５、１３６を無線ＬＡＮ用として取り込むために、複雑な回路構成にならずに簡素な回路構成にできる。
【００７３】
また、無線通信端末１００によれば、ベースバンド信号処理部１６０は、無線ＬＡＮモジュール１４０を除く、ＲＦ信号処理部１２０及びチューナー１３０のＲＦ機能の無線ＬＡＮ信号との競合がない場合に、アンテナＡＮＴ１、２、３の数を切り替えるために、マルチユーザーＭＩＭＯの技術によって無線ＬＡＮの伝送速度を向上させることができる。
【符号の説明】
【００７４】
ＡＮＴ１、ＡＮＴ２、ＡＮＴ３  アンテナ
１００  無線通信端末
１２０  ＲＦ信号処理部
１２１、１３１、１４５、１４９  バッファ
１２２、１３２、１４６、１５０  ミキサ
１２３、１３３、１４７、１５１  バンドパスフィルタ
１２４、１３４、１４８、１５２  ＲＦＦＥフィルタ
１２７、１２８、１３５、１３６  信号ＲＸ・ＩＱ
１３０  チューナー
１４０  無線ＬＡＮモジュール
１４１  スイッチング部
１４２  可動接点
１４３  常開接点
１４４  常閉接点
１６０  ベースバンド信号処理部
１６１  信号識別処理部
１６２  ひずみ演算処理データ結合部
１６３  ＲＦ信号規定部
１６４  テレビ信号規定部
１６５  無線ＬＡＮ規定部
１６６、１６７、１６８、１６９  スイッチング部
１７０、１７１  信号ＴＸ・ＩＱ
【図１】
2015050635.tif 000003
【図２】
2015050635.tif 000004
【図３】
2015050635.tif 000005
【図４】
2015050635.tif 000006